(57)【特許請求の範囲】
【請求項１】
室内の床の上に、規格寸法の畳を複数敷き並べて、これらの畳と壁面又は敷居やサッシ等の開口部材との間に生じる間隙に、この間隙を埋める寸法調整用の板畳を敷き詰め、前記壁面と板畳との間の隙間に、板畳用畳寄せ材を配設するとともに、前記壁面と畳との間の隙間に、畳用畳寄せ材を配設するようにした畳床構造であって、前記板畳用畳寄せ材は、垂直片と、この垂直片の上端から水平に延びる上片とを備え、この板畳用畳寄せ材の上片を、前記板畳の縁部に被せて前記壁面と板畳との間の隙間を覆うとともに、前記畳用畳寄せ材は、垂直片と、この垂直片の上端から水平に延びる上片と、この上片の先端から下向きに延びる短片とを備え、この畳用畳寄せ材の短片を、前記畳の縁部に食い込ませながら、前記畳用畳寄せ材の上片を、前記畳の縁部に被せて前記壁面と畳との間の隙間を覆うようにしたことを特徴とする畳床構造。
【請求項２】
前記畳用畳寄せ材の短片を切り落とすことによって、前記板畳用畳寄せ材を形成したことを特徴とする請求項１に記載の畳床構造。
【請求項３】
複数の規格寸法の畳を方形に敷き並べて、この畳群の少なくとも隣り合う２辺に沿って板畳を敷き詰めるようにしたことを特徴とする請求項１又は２に記載の畳床構造。
【発明の詳細な説明】
【０００１】
【発明の属する技術分野】
この発明は、室内の床の上に規格寸法の複数の畳を敷き並べるようにした畳床構造に関する。
【０００２】
【従来の技術】
従来、和室に畳を敷き並べるには、その和室の施工の際に、畳職人に予めその現場で採寸してもらい、その畳職人が採寸した寸法をもとにして畳を製作して、出来上がった畳を現場に運んで和室に敷き込むようにしていた。すなわち、建物側の精度のばらつきを、畳の採寸によってカバーしていた。このように、畳の敷き込みに際して畳職人を介入していたので、手間がかかって面倒であり、コストも高くなっていた。
【０００３】
また、１枚の畳の取り替え等のメンテナンスの際にも、上記のように、畳職人に同じような手順で畳を採寸、製作してもらう必要があって面倒であり、コストも高くなっていた。
【０００４】
また、畳職人の手を煩わさない規格寸法の畳は、主に置き畳としてリビングの床板の上に適当に敷き並べるだけであって、じゅうたん等の敷物と同じ感覚で使用されているために、畳の感触や精度は問われず、和室の床に敷き並べる畳としては使用されていない。
【０００５】
【発明が解決しようとする課題】
この発明は、上記の不具合を解消して、畳職人の手を煩わすことなく、規格寸法の畳の敷き込みを可能として、施工及びメンテナンスの対応が容易で、コストダウンを図ることができ、しかも新しい感覚の和風空間を得ることができる畳床構造の提供を目的とする。
【０００６】
【課題を解決するための手段】
上記課題を解決するため、この発明に係る畳床構造は、室内の床の上に、規格寸法の畳を複数敷き並べて、これらの畳と壁面又は敷居やサッシ等の開口部材との間に生じる間隙に、この間隙を埋める寸法調整用の板畳を敷き詰め、前記壁面と板畳との間の隙間に、板畳用畳寄せ材を配設するとともに、前記壁面と畳との間の隙間に、畳用畳寄せ材を配設している。
【０００７】
そして、前記板畳用畳寄せ材は、垂直片と、この垂直片の上端から水平に延びる上片とを備え、この板畳用畳寄せ材の上片を、前記板畳の縁部に被せて前記壁面と板畳との間の隙間を覆っている。
【０００８】
しかも、前記畳用畳寄せ材は、垂直片と、この垂直片の上端から水平に延びる上片と、この上片の先端から下向きに延びる短片とを備え、この畳用畳寄せ材の短片を、前記畳の縁部に食い込ませながら、前記畳用畳寄せ材の上片を、前記畳の縁部に被せて前記壁面と畳との間の隙間を覆っている。
【０００９】
また、前記畳用畳寄せ材の短片を切り落とすことによって、前記板畳用畳寄せ材を形成している。
【００１０】
さらに、複数の規格寸法の畳を方形に敷き並べて、この畳群の少なくとも隣り合う２辺に沿って板畳を敷き詰めるようにしている。
【００１１】
【発明の実施の形態】
以下、この発明の一実施形態を図面を参照しつつ詳細に説明する。
【００１２】
図１は、この発明の一実施形態に係る畳床構造を示す一部断面した平面図、図２は、板畳用畳寄せ材が被さった板畳の縁部付近の縦断面図、図３は、板畳用畳寄せ材の部分斜視図、図４は、畳用畳寄せ材を示す部分斜視図、図５は、畳用畳寄せ材が被さった畳の縁部付近の縦断面図、図６は、板畳及び畳を敷き込む前の床の状態を示す斜視図である。
【００１３】
この実施形態に係る畳床構造は、図１に示すように、室内の方形の床上に、複数のほぼ正方形の規格寸法の畳(１)(１)…を方形に敷き並べて、これらの畳群(20)の隣り合う２辺に沿って長方形の寸法調整用の板畳(５)(６)を夫々敷き詰めることで、畳(１)(１)…と壁面(２)又は敷居やサッシ等の開口部材(３)(３)との間に生じる間隙を埋めるようにしている。すなわち、畳群(20)は、その１つのコーナー部を床の１つのコーナー部に合致させるようにして配置されており、板畳(５)(６)は、畳群(20)が配されていない床の余剰部分に配置されている。
【００１４】
更に、壁面(２)(２)…と板畳(５)(６)との間の隙間には、図２及び図３に示すような板畳用畳寄せ材(７)が配設され、壁面(２)(２)…と畳(１)(１)…との間には、図４及び図５に示すような畳用畳寄せ材(10)が配設されている。
【００１５】
板畳用畳寄せ材(７)は、垂直片(15)と、この垂直片(15)の上端から水平に延びる上片(4)とによって断面逆Ｌ字形に形成されている。そして、その垂直片(15)を壁面(２)の下端部に沿わせてビスや接着剤で固定し、その上片(４)の下側に板畳(５)(６)の縁部を差し入れて、上片(４)を板畳(５)(６)の縁部に被せることで、壁面(２)(２)…と板畳(５)(６)との間の隙間を覆っている。これにより、板畳(５)(６)の寸法誤差や壁面(２)(２)…のころび、たちの悪さを吸収して、板畳(５)(６)を見栄え良く敷き込むことができる。
【００１６】
畳用畳寄せ材(10)は、垂直片(16)と、この垂直片(16)の上端から水平に延びる上片(17)と、この上片(17)の先端から下向きに延びる短片(８)とによって断面略Ｌ字形に形成され、これら各片(８)(16)(17)によって囲まれる空間にクッション材(９)が嵌め込まれている。そして、その垂直片(16)を壁面(２)の下端部に沿わせてビスや接着剤で固定し、畳(１)(１)…の縁部を短片(８)側からクッション材(９)に押し込んで、その縁部に短片(８)を食い込ませながら上片(17)を被せることで、壁面(２)(２)…と畳(１)(１)…との間の隙間を覆っている。これにより、畳(１)(１)…の寸法誤差や壁面(２)(２)…のころび、たちの悪さを吸収し、畳(１)(１)…を壁面(２)(２)…に沿って見栄え良くしっくりと敷き込むことができる。
【００１７】
尚、板畳用畳寄せ材(７)と畳用畳寄せ材(10)は、図６に示すように、長手方向に向けて一体に連設されていて、畳用畳寄せ材(10)の短片(８)を切り落とすことによって板畳用畳寄せ材(７)が形成されるようになっている。
【００１８】
上記の畳床の施工は、図６に示すように、畳(１)(１)…及び板畳(５)(６)を敷き込む前に、長手方向に向けて一体に連接された畳用畳寄せ部材(10)と板畳用畳寄せ材(７)を壁面(２)の下端部に沿って固定し、床面に墨打ち(12)して、この床面の互いに隣り合う２辺に沿った板畳用の領域(11)と、方形の畳用の領域(13)を設定する。そして、板畳用の領域(11)に板畳(５)(６)を敷き詰めることで、複数の規格寸法の畳(１)(１)…を敷き並べることができる畳敷き部を形成し、この畳敷き部に複数の規格寸法の畳(１)(１)…を敷き並べるようにする。
【００１９】
【発明の効果】
以上の説明から明らかなように、こ発明の畳床構造によれば、規格寸法の畳を室内の床の上に複数枚敷き並べ、これら畳と壁面又は開口部材との間の間隙に、寸法調整用の板畳を敷き詰めるようにしたので、畳職人による畳の採寸、製作を不要とし、畳職人を介入することなく、採寸した畳同様に規格寸法の畳を床にきっちと敷き並べることができる。このため、畳床を簡単に施工することができ、また畳１枚の取り替え等のメンテナンスの対応も容易になり、コストダウンを図ることができる。しかも、複数枚の畳と板畳によって新しい感覚の和風空間を得ることができる。
【００２０】
また、方形の畳群の少なくとも隣り合う２辺に沿って板畳を敷き詰めるようにしたので、床の長さ方向及び幅方向の２方向での寸法調整が可能となり、畳群と壁面又は開口部材との間に隙間が生じることを確実に防ぐことができる。
【００２１】
更に、壁面と板畳との間の隙間、壁面と畳との間の隙間に畳寄せ材を配して、その上片を板畳や畳の縁部に被せることで、それらの隙間を覆うようにしているので、僅かな寸法誤差を吸収して、床に畳及び板畳を隙間なくきっちりと敷き込むことができ、見栄えを向上することができる。
【図面の簡単な説明】
【図１】この発明の一実施形態に係る畳床構造を示す一部断面した平面図である。
【図２】板畳用畳寄せ材が被さった板畳の縁部付近の縦断面図である。
【図３】板畳用畳寄せ材の部分斜視図である。
【図４】畳用畳寄せ材の部分斜視図である。
【図５】畳用畳寄せ材が被さった畳の縁部付近の縦断面図である。
【図６】板畳及び畳を敷き込む前の床の状態を示す斜視図である。
【符号の説明】
(１)  畳
(２)  壁面
(３)  開口部材
(４)(17)  上片
(５)(６)  板畳
(７)  板畳用畳寄せ材
(10)  畳用畳寄せ材
(20)  畳群
【図１】
0003827512.tif 000002
【図２】
0003827512.tif 000003
【図３】
0003827512.tif 000004
【図４】
0003827512.tif 000005
【図５】
0003827512.tif 000006
【図６】
0003827512.tif 000007